(57)【要約】【課題】上面への光束を遮ることなく雑音性能および始動性の悪化を抑制する。【解決手段】環形の放電灯１と、この放電灯１の内径に収まる高周波点灯装置２と、放電灯１の上側および下側にそれぞれ配置された光透過性の樹脂カバー３，４とを備え、放電灯１の上側および下側の両方から光束が得られる天井面直付け型の照明器具において、放電灯１と上側の樹脂カバー３との間に、放電灯１の環形に沿う形で、上面方向への光束を完全に遮ることのない環形の金属板７を配置し、金属板７を高周波点灯装置２の外郭の金属部と電気的に接続した。これにより、上面方向への光束を得ながらにして、懸念される雑音性能と始動性能の悪化を抑制することができる。【選択図】　　　　図１
2004063291.tif 000002
【特許請求の範囲】
【請求項１】
環形の放電灯と、この放電灯の内径に収まる高周波点灯装置と、放電灯の上側および下側にそれぞれ配置された光透過性の樹脂カバーとを備え、前記放電灯の上側および下側の両方から光束が得られる天井面直付け型の照明器具において、前記放電灯と上側の前記樹脂カバーとの間に、前記放電灯の環形に沿う形で、上面方向への光束を完全に遮ることのない環形の金属板を配置し、前記金属板を前記高周波点灯装置の外郭の金属部と電気的に接続したことを特徴とする照明器具。
【請求項２】
環形の金属板の内径が環形の放電灯の内径以上で、かつ、前記金属板の外径が前記放電灯の外径以下であり、鉛直下方から見たとき、前記金属板が高周波点灯装置との接合部を除いては放電灯により完全に隠れ、鉛直上方から見たとき、前記放電灯が前記金属板により完全に隠れていない請求項１記載の照明器具。
【請求項３】
放電灯が２重環形放電灯であり、この２重環形放電灯の内環側の放電管の外径と、外環側の放電管の内径との間の隙間を塞ぐように金属板を配置した請求項１記載の照明器具。
【請求項４】
環形の金属板の外径が、環形の放電灯の放電管断面の中心が描く円の直径よりも小さく、かつ、内側に配置された請求項１記載の照明器具。
【請求項５】
放電灯を接続するソケット部とは別に、前記放電灯に直接接触する金属製の放電灯支持具を有し、この放電灯支持具と金属板が直接、電気的に接続されている請求項１，２，３または４記載の照明器具。
【請求項６】
放電灯支持具と金属板との接続点が、前記金属板と高周波点灯装置の外郭の金属部との接続点と共通した位置にある請求項５記載の照明器具。
【請求項７】
放電灯の放電管断面の中心と、金属板の幅の中心とを結ぶ線が、前記金属板に対して直交している請求項１，２，３，４，５または６記載の照明器具。
【発明の詳細な説明】
【０００１】
【発明の属する技術分野】
この発明は、照明器具に関するものである。
【０００２】
【従来の技術】
天井直付け型であって、放電灯を高周波点灯させている照明器具においては、従来より、下面方向への光束の高効率化等の目的で放電灯の上側には金属製の反射板を有するものが存在する。こうした天井直付け型の照明器具においては、配光は下面方向のみに限定される。上面方向へも光束を得るためには、金属製の反射板を除去し、光透過性のカバーに変更する必要がある。すなわち、上下にそれぞれ独立した光透過性の樹脂カバーを有し、上下両方向に光束を与える照明器具があった。
【０００３】
【発明が解決しようとする課題】
しかしながら、上記のような構造を有する放電灯照明器具においては、放電灯の直近に金属製の反射板がないため、雑音性能および始動性の悪化につながる恐れがある。
【０００４】
したがって、この発明の目的は、上記の点に鑑みてなされたものであり、上面への光束を遮ることなく雑音性能および始動性の悪化を抑制することができる照明器具を提供することである。
【０００５】
【課題を解決するための手段】
上記課題を解決するためにこの発明の請求項１記載の照明器具は、環形の放電灯と、この放電灯の内径に収まる高周波点灯装置と、放電灯の上側および下側にそれぞれ配置された光透過性の樹脂カバーとを備え、前記放電灯の上側および下側の両方から光束が得られる天井面直付け型の照明器具において、前記放電灯と上側の前記樹脂カバーとの間に、前記放電灯の環形に沿う形で、上面方向への光束を完全に遮ることのない環形の金属板を配置し、前記金属板を前記高周波点灯装置の外郭の金属部と電気的に接続した。
【０００６】
このように、放電灯と上側の樹脂カバーとの間に、放電灯の環形に沿う形で、上面方向への光束を完全に遮ることのない環形の金属板を配置し、金属板を高周波点灯装置の外郭の金属部と電気的に接続したので、上面方向への光束を得ながらにして、懸念される雑音性能と始動性能の悪化を抑制することができる。
【０００７】
請求項２記載の照明器具は、請求項１記載の照明器具において、環形の金属板の内径が環形の放電灯の内径以上で、かつ、前記金属板の外径が前記放電灯の外径以下であり、鉛直下方から見たとき、前記金属板が高周波点灯装置との接合部を除いては放電灯により完全に隠れ、鉛直上方から見たとき、前記放電灯が前記金属板により完全に隠れていない。
【０００８】
このように、環形の金属板の内径が環形の放電灯の内径以上で、かつ、金属板の外径が放電灯の外径以下であり、鉛直下方から見たとき、金属板が高周波点灯装置との接合部を除いては放電灯により完全に隠れ、鉛直上方から見たとき、放電灯が金属板により完全に隠れていないので、上面方向へ光束を遮蔽してしまうことを回避し、金属板により雑音性能および始動性を向上させることができる。また、照明器具を下方から見た場合、金属板が見えないので外観が良好である。
【０００９】
請求項３記載の照明器具は、請求項１記載の照明器具において、放電灯が２重環形放電灯であり、この２重環形放電灯の内環側の放電管の外径と、外環側の放電管の内径との間の隙間を塞ぐように金属板を配置した。
【００１０】
このように、放電灯が２重環形放電灯であり、この２重環形放電灯の内環側の放電管の外径と、外環側の放電管の内径との間の隙間を塞ぐように金属板を配置したので、下面方向への光束を強化し、かつ、雑音性能および始動性を向上させることができる。
【００１１】
請求項４記載の照明器具は、請求項１記載の照明器具において、環形の金属板の外径が、環形の放電灯の放電管断面の中心が描く円の直径よりも小さく、かつ、内側に配置された。
【００１２】
このように、環形の金属板の外径が、環形の放電灯の放電管断面の中心が描く円の直径よりも小さく、かつ、内側に配置されたので、さらに放電灯からの光束を遮り難く、かつ、雑音性能および始動性を向上させることができる。
【００１３】
請求項５記載の照明器具は、請求項１，２，３または４記載の照明器具において、放電灯を接続するソケット部とは別に、前記放電灯に直接接触する金属製の放電灯支持具を有し、この放電灯支持具と金属板が直接、電気的に接続されている。このように、放電灯を接続するソケット部とは別に、放電灯に直接接触する金属製の放電灯支持具を有し、この放電灯支持具と金属板が直接、電気的に接続されているので、金属板とともに放電灯支持具により雑音性能および始動性を向上させる作用効果を得る。
【００１４】
請求項６記載の照明器具は、請求項５記載の照明器具において、放電灯支持具と金属板との接続点が、前記金属板と高周波点灯装置の外郭の金属部との接続点と共通した位置にある。このように、放電灯支持具と金属板との接続点が、金属板と高周波点灯装置の外郭の金属部との接続点と共通した位置にあるので、放電灯支持具から高周波点灯装置の外郭の金属部までの距離が最短になり、雑音性能および始動性の向上に寄与する。
【００１５】
請求項７記載の照明器具は、請求項１，２，３，４，５または６記載の照明器具において、放電灯の断面の中心と、金属板の幅の中心とを結ぶ線が、前記金属板に対して直交している。このように、放電灯の放電管断面の中心と、金属板の幅の中心とを結ぶ線が、金属板に対して直交しているので、金属板を放電灯の放電管に対向させることができ、さらに雑音性能および始動性の向上を図ることができる。
【００１６】
【発明の実施の形態】
この発明の第１の実施の形態の照明器具を図１ないし図３に基づいて説明する。図１はこの発明の第１の実施の形態の照明器具の断面図、図２は図１のＡ部拡大図、図３は図１の照明器具の放電灯を鉛直下方から見た平面図である。
【００１７】
図１に示すように、この照明器具は天井面直付け型であり、環形の放電灯（蛍光灯）１と、この放電灯１の内径に収まる高周波点灯装置２と、放電灯１の上側および下側にそれぞれ配置された光透過性の樹脂カバー３，４とを備え、放電灯１の上側および下側の両方から光束が得られる。高周波点灯装置２は、天井面５に設けた引っ掛けシーリング、ローゼット等の配線器具６に接続固定される。樹脂カバー３，４は高周波点灯装置２の上側および下側を覆うアクリルカバー等からなる。上側樹脂カバー３は、中央に設けた穴に電源部６を挿通した状態で高周波点灯装置２にて支持される。下側樹脂カバー４は図示しないが上側樹脂カバー３に取り付けられる。
【００１８】
放電灯１と上側の樹脂カバー３との間には、放電灯１の環形に沿う形で、上面方向への光束を完全に遮ることのない環形の金属板７を配置し、金属板７を高周波点灯装置２の外郭の金属部と電気的に接続している。この場合、図３に示すように、高周波点灯装置２の側面の所定位置より突設した複数のアーム８により金属板７を固定している。
【００１９】
図２に示すように、金属板７は、その幅が放電灯１の内径と外径との間に収まっている。すなわち、金属板７の内径が放電灯１の内径以上で、かつ、金属板７の外径が放電灯１の外径以下であり、鉛直下方から見たとき、金属板７が高周波点灯装置２との接合部であるアーム８を除いては放電灯１により完全に隠れ、鉛直上方から見たとき、放電灯１が金属板７により完全に隠れていない構成である。図２中のａは放電灯の管径、ｂは金属板の幅であり、ａ＞ｂの関係が成り立っている。
【００２０】
また、放電灯１を接続するソケット部１０とは別に、放電灯１に直接接触する金属製の放電灯支持具９を有し、この放電灯支持具９と金属板７が直接、電気的に接続されている。この場合、放電灯支持具９は金属板７とアーム８と接合しており、放電灯支持具９と金属板７との接続点が、金属板７と高周波点灯装置２の外郭の金属部との接続点と共通した位置にある。また、放電灯１の放電管断面の中心と、金属板７の幅の中心とを結ぶ線が、金属板７に対して直交している。ソケット部１０は、高周波点灯装置２の側面に設けられ、放電灯１のランプ口金２０の端子ピンが差し込まれて接続される（図示せず）。
【００２１】
以上のようにこの実施の形態によれば、放電灯１の上側に配置する金属板７を、放電灯１よりも幅の狭いものにすることで上面方向への光束を遮蔽してしまうことを回避し、また、金属板７と、放電灯支持具９により雑音性能および始動性を向上させる効果を得ることができる。
【００２２】
この発明の第２の実施の形態の照明器具を図４ないし図６に基づいて説明する。図４はこの発明の第２の実施の形態の照明器具の断面図、図５は図４のＡ部拡大図、図６は図４の照明器具の放電灯を鉛直下方から見た平面図である。
【００２３】
図４に示すようにこの実施の形態では、放電灯が２重環形放電灯である。すなわち、２重環形の放電灯（蛍光灯）１１と、この２重環形放電灯１１の内径に収まる高周波点灯装置２と、２重環形放電灯１１の上側および下側にそれぞれ配置された光透過性の樹脂カバー３，４とを備え、２重環形放電灯１１の上側および下側の両方から光束が得られる。２重環形放電灯１１と上側の樹脂カバー３との間には、２重環形放電灯１１の環形に沿う形で、上面方向への光束を完全に遮ることのない環形の金属板１２を配置し、金属板１２を高周波点灯装置２の外郭の金属部と電気的に接続している。
【００２４】
この場合、第１の実施の形態と同様に、金属板１２は高周波点灯装置２の側面の所定位置より突設した複数のアーム８により固定している。また、図５に示すように、金属板１２は、その幅が２重環形放電灯１１の内径と外径との間に収まっている。この際、２重環形放電灯１１の内環側の放電管１１ａの外径と、外環側の放電管１１ｂの内径との間の隙間を塞ぐように金属板１２を配置している。図５中のａは放電灯の管径、ｂは金属板の幅、ｃは内環と外環の間隔であり、ａ＞ｂ＞ｃの関係が成り立っている。
【００２５】
また、２重環形放電灯１１を接続するソケット部１０とは別に、２重環形放電灯１１に直接接触する金属製の放電灯支持具１３を有し、この放電灯支持具１３と金属板１２が直接、電気的に接続されている。この場合、放電灯支持具１３は金属板１２とアーム８の接続箇所に取り付けられている。また、２重環形放電灯１１の放電管断面の中心（２本の放電管１１ａ，１１ｂ間の隙間１１ｃに位置する）と、金属板１２の幅の中心とを結ぶ線が、金属板１２に対して直交している。
【００２６】
以上のようにこの実施の形態によれば、２重環形放電灯１１により上下両方向への光束を得、２重環形放電灯１１の内側の放電管１１ａと外側の放電管１１ｂとの間の隙間１１ｃを塞ぐように環形の金属板１２を配置することで、下面方向への光束を強化し、かつ、雑音性能および始動性を向上させている。その他の構成は、第１の実施の形態と同様であり、同一部材には同一符号を付して説明を省略する。
【００２７】
この発明の第３の実施の形態の照明器具を図７ないし図９に基づいて説明する。図７はこの発明の第３の実施の形態の照明器具の断面図、図８は図７のＡ部拡大図、図９は図７の照明器具の放電灯を鉛直下方から見た平面図である。
【００２８】
図７に示すように、この照明器具は第１の実施の形態と同様に、環形の放電灯（蛍光灯）１４と、この放電灯１４の内径に収まる高周波点灯装置２と、放電灯１４の上側および下側にそれぞれ配置された光透過性の樹脂カバー３，４とを備え、放電灯１４の上側および下側の両方から光束が得られる。放電灯１４と上側の樹脂カバー３との間には、放電灯１４の環形に沿う形で、上面方向への光束を完全に遮ることのない環形の金属板１５を配置し、金属板１５を高周波点灯装置２の外郭の金属部と電気的に接続している。
【００２９】
この場合、金属板１５は高周波点灯装置２の側面の所定位置より突設した複数のアーム８により固定しているが、その構成が異なる。すなわち、図８に示すように、金属板１５は放電灯１４の内径に略収まる大きさであり、内径側が下方へ傾斜した円錐面で形成されている。この際、環形の金属板１５の外径が、環形の放電灯１４の放電管断面の中心が描く円の直径よりも小さく、かつ、内側に配置されている。図８中のｄは金属板の外径、ｅは環形放電灯の放電管の中心、ｆは環形放電灯の内径であり、ｄ＜ｅの関係が成り立っている（ｄよりｅの方が外側にある）。また、ｄ＞ｆとすることで、金属板１５と放電灯１４の距離を接近できるが、ｄ≦ｆとしてもよい。
【００３０】
また、放電灯１４を接続するソケット部１０とは別に、放電灯１４に直接接触する金属製の放電灯支持具１６を有し、この放電灯支持具１６と金属板１４が直接、電気的に接続されている。この場合、放電灯支持具１６は、アーム８とは異なる位置で金属板１５に取り付けられている。また、放電灯１４の放電管断面の中心ｇと、金属板１５の幅の中心ｈとを結ぶ線が、金属板１５に対して直交している。
【００３１】
以上のようにこの実施の形態によれば、放電灯１４に沿って配置された金属板１５を放電灯１４の内側に配置することで、さらに放電灯１４からの光束を遮り難くしており、金属板１５を放電灯１４の放電管に対向させることでさらに雑音性能および始動性の向上を図っている。その他の構成は、第１の実施の形態と同様であり、同一部材には同一符号を付して説明を省略する。
【００３２】
なお、第１および第２の実施の形態において、第３の実施の形態のように放電灯支持具をアームとは異なる位置で金属板に取り付けてもよい。また、アームおよび放電灯支持具はそれぞれ２つ設けたが、３つ以上設けてもよい。
【００３３】
【発明の効果】
この発明の請求項１記載の照明器具によれば、放電灯と上側の樹脂カバーとの間に、放電灯の環形に沿う形で、上面方向への光束を完全に遮ることのない環形の金属板を配置し、金属板を高周波点灯装置の外郭の金属部と電気的に接続したので、上面方向への光束を得ながらにして、懸念される雑音性能と始動性能の悪化を抑制することができる。
【００３４】
請求項２では、環形の金属板の内径が環形の放電灯の内径以上で、かつ、金属板の外径が放電灯の外径以下であり、鉛直下方から見たとき、金属板が高周波点灯装置との接合部を除いては放電灯により完全に隠れ、鉛直上方から見たとき、放電灯が金属板により完全に隠れていないので、上面方向へ光束を遮蔽してしまうことを回避し、金属板により雑音性能および始動性を向上させることができる。また、照明器具を下方から見た場合、金属板が見えないので外観が良好である。
【００３５】
請求項３では、放電灯が２重環形放電灯であり、この２重環形放電灯の内環側の放電管の外径と、外環側の放電管の内径との間の隙間を塞ぐように金属板を配置したので、下面方向への光束を強化し、かつ、雑音性能および始動性を向上させることができる。
【００３６】
請求項４では、環形の金属板の外径が、環形の放電灯の放電管断面の中心が描く円の直径よりも小さく、かつ、内側に配置されたので、さらに放電灯からの光束を遮り難く、かつ、雑音性能および始動性を向上させることができる。
【００３７】
請求項５では、放電灯を接続するソケット部とは別に、放電灯に直接接触する金属製の放電灯支持具を有し、この放電灯支持具と金属板が直接、電気的に接続されているので、金属板とともに放電灯支持具により雑音性能および始動性を向上させる作用効果を得る。
【００３８】
請求項６では、放電灯支持具と金属板との接続点が、金属板と高周波点灯装置の外郭の金属部との接続点と共通した位置にあるので、放電灯支持具から高周波点灯装置の外郭の金属部までの距離が最短になり、雑音性能および始動性の向上に寄与する。
【００３９】
請求項７では、放電灯の放電管断面の中心と、金属板の幅の中心とを結ぶ線が、金属板に対して直交しているので、金属板を放電灯の放電管に対向させることができ、さらに雑音性能および始動性の向上を図ることができる。
【図面の簡単な説明】
【図１】この発明の第１の実施の形態の照明器具の断面図である。
【図２】図１のＡ部拡大図である。
【図３】図１の照明器具の放電灯を鉛直下方から見た平面図である。
【図４】この発明の第２の実施の形態の照明器具の断面図である。
【図５】図４のＡ部拡大図である。
【図６】図４の照明器具の放電灯を鉛直下方から見た平面図である。
【図７】この発明の第３の実施の形態の照明器具の断面図である。
【図８】図７のＡ部拡大図である。
【図９】図７の照明器具の放電灯を鉛直下方から見た平面図である。
【符号の説明】
１，１４　放電灯
２　高周波点灯装置
３　上側樹脂カバー
４　下側樹脂カバー
５　天井面
７，１２，１５　金属板
９，１３，１６　放電灯支持具
１１　２重環形放電灯
１１ａ，１１ｂ　放電管
１１ｃ　隙間
【図１】
2004063291.tif 000003
【図２】
2004063291.tif 000004
【図３】
2004063291.tif 000005
【図４】
2004063291.tif 000006
【図５】
2004063291.tif 000007
【図６】
2004063291.tif 000008
【図７】
2004063291.tif 000009
【図８】
2004063291.tif 000010
【図９】
2004063291.tif 000011